(57)【特許請求の範囲】
【請求項１】
所定のシール用紙を裁断し、複数の訂正用シールを作成する領域裁断処理装置において、
印刷物に印刷された文字列を読み取る読取手段と、
前記読み取られた文字列を記憶する文字列記憶手段と、
この文字列記憶手段に記憶された文字列の一部を指定する文字列指定手段と、
この文字列指定手段により指定された領域に含まれる文字列と置換される文字列を入力する文字列入力手段と、
前記文字列指定手段により指定された文字列が前記印刷物に印刷されている領域に対応するサイズの印字枠を所定のシール用紙に設定する印字枠設定手段と、
この印字枠設定手段により設定された印字枠内に前記文字列入力手段により入力された文字列を配置するとともに、当該文字列に対して、前記読み取られた文字列の文字サイズ、文字間隔を含む設定が同一となるように設定を行い、当該設定に従って前記印刷枠に配置された文字列を印字する印字手段と、
この印字手段により文字列が印字された印字枠に沿って前記所定のシール用紙を裁断処理する裁断処理手段と、
を備えることを特徴とする領域裁断処理装置。
【請求項２】
前記印字手段は、前記印字枠設定手段により設定された印字枠内に前記文字列入力手段により入力された文字列を全て印字できない場合には、前記印字枠内に当該文字列を全て印字できるように当該文字列の文字サイズ、文字間隔を含む設定を変更して印字することを特徴とする請求項１記載の領域裁断処理装置。
【請求項３】
前記印字枠設定手段は、前記印字手段によって前記印字枠設定手段により設定された印字枠内に前記文字列入力手段により入力された文字列を全て印字できない場合には、前記文字列指定手段により指定された文字列の前後の文字列を新たに含む領域に対応するサイズの印字枠を新たに設定し、
前記印字手段は、前記印字枠設定手段により新たに設定された印字枠内に、当該印字枠に対応する領域に新たに含まれた文字列と、前記文字列入力手段により入力された文字列とを印字することを特徴とする請求項１記載の領域裁断処理装置。
【請求項４】
コンピュータを、
印刷物に印刷された文字列を読み取る読取手段、
前記読み取られた文字列を記憶する文字列記憶手段、
この記憶された文字列の一部を指定する文字列指定手段、
この指定された領域に含まれる文字列と置換される文字列を入力する文字列入力手段、
前記指定された文字列が前記印刷物に印刷されている領域に対応するサイズの印字枠を所定のシール用紙に設定する印字枠設定手段、
この印字枠設定手段により設定された印字枠内に、前記文字列入力手段により入力された文字列を配置するとともに、当該文字列に対して、前記読み取られた文字列の文字サイズ、文字間隔を含む設定が同一となるように設定を行い、当該設定に従って前記印刷枠に配置された文字列を印字する印字手段、
この文字列が印字された印字枠に沿って前記所定のシール用紙を裁断処理し、複数の訂正用シール用紙を作成する裁断処理手段、
として機能させるためのプログラムを記憶したコンピュータ読み取り可能な記憶媒体。
【請求項５】
前記印字手段は、
前記印字枠設定手段により設定された印字枠内に、前記文字列入力手段により入力された文字列を全て印字できない場合には、前記印字枠内に当該文字列を全て印字できるように当該文字列の文字サイズ、文字間隔含む設定を変更して印字することを特徴とする
請求項４記載の記憶媒体。
【請求項６】
前記印字枠設定手段は、印字枠内に前記文字列入力手段により入力された文字列を全て印字できない場合には、前記文字列指定手段により指定された文字列の前後の文字列を新たに含む領域に対応するサイズの印字枠を新たに設定し、
前記印字手段は、前記印字枠設定手段により新たに設定された印字枠内に、当該印字枠に対応する領域に新たに含まれた文字列と、前記文字列入力手段により入力された文字列とを印字することを特徴とする請求項４記載の記憶媒体。
【発明の詳細な説明】
【０００１】
【発明の属する技術分野】
本発明は、所定のシール台紙において、指定されたサイズの範囲に印刷を行うとともに、印刷範囲を裁断する領域裁断処理装置に関する。
【０００２】
【従来の技術】
従来の印刷裁断処理装置としては、例えば、ガイド軸に沿って往復移動する印刷用キャリッジにカッターを搭載し、その印刷用キャリッジをガイド軸に沿って移動させながらカッターでロール状の印刷紙を切断するようにした印刷装置に搭載されたものや、ロール状の印刷紙の搬送方向で印刷ペンとカッターとをそれぞれ独立した駆動機構で配置させ、印刷ペン、カッターの各アップダウン制御を逆に行うことで印刷後にその印刷済み部分よりも後方の位置で切断するようにした印刷装置に搭載されたものが一般的に利用されている。
【０００３】
【発明が解決しようとする課題】
ところで、上述した従来例による代表的な印刷裁断処理装置によれば、訂正用シールを作成する処理がよく行われる。この訂正用シールは、印刷物の一部の文字列を訂正するために、訂正対象範囲に貼付するシールであり、非常に細長いことが多いという特色がある。
ところが、訂正用シールを上記の印刷裁断処理装置によって作成する際には、シール台紙の無駄をなくすためのレイアウト等を行わなければならず、手間であるという問題があった。
【０００４】
即ち、訂正用のシールのサイズは訂正する範囲によってまちまちであり、複数の訂正用シールを一括して作成する際には、レイアウトに配慮しないとシール台紙の無駄が多くでてしまうという問題があった。また、シールの大きさは訂正対象範囲の大きさに準じて決定されるので、訂正後の文字列の文字数によっては、文字の大きさや文字間等についても配慮が必要で、非常に繁雑な作業となっていた。
【０００５】
本発明は、上記問題を解決するため、所定のシール台紙に印字して印字範囲を裁断することによって複数のシールを作成する際に、各シールのレイアウトおよび各シールにおける文字の配置を自動的に調整可能な領域裁断処理装置を提供することを目的とする。
【００１０】
【課題を解決するための手段】
請求項１記載の発明の領域裁断処理装置は、
所定のシール用紙を裁断し、複数の訂正用シールを作成する領域裁断処理装置において、
印刷物に印刷された文字列を読み取る読取手段と、
前記読み取られた文字列を記憶する文字列記憶手段と、
この文字列記憶手段に記憶された文字列の一部を指定する文字列指定手段と、
この文字列指定手段により指定された領域に含まれる文字列と置換される文字列を入力する文字列入力手段と、
前記文字列指定手段により指定された文字列が前記印刷物に印刷されている領域に対応するサイズの印字枠を所定のシール用紙に設定する印字枠設定手段と、
この印字枠設定手段により設定された印字枠内に、前記文字列入力手段により入力された文字列を配置するとともに、当該文字列に対して、前記読み取られた文字列の文字サイズ、文字間隔を含む設定が同一となるように設定を行い、当該設定に従って前記印刷枠に配置された文字列を印字する印字手段と、
この印字手段により文字列が印字された印字枠に沿って前記所定のシール用紙を裁断処理する裁断処理手段と、
を備えることを特徴とする構成とした。
【００１１】
この請求項１記載の発明によれば、記憶された文字列において一部の文字列が指定され、この文字列と置換される文字列が入力されると、入力された文字列を、所定のシール用紙に設定された印字枠内に印字して裁断する。従って、印刷物に貼付して印刷物の一部の文字を訂正する訂正用シールを、容易に作成することができる。
【００１４】
【発明の実施の形態】
以下、図を参照して本発明の実施の形態について詳細に説明する。
【００１５】
まず、構成を説明する。
図１は、本発明の実施の形態におけるワードプロセッサ１内部の要部構成を示すブロック図である。この図１に示すように、ワードプロセッサ１は、ＣＰＵ（Central Processing Unit ）２、入力装置３、ＲＡＭ（Random Access Memory）４、表示装置５、印刷装置６、記憶装置７および記憶装置７が有する記憶媒体８によって構成され、記憶媒体８を除く各部はバス９によって接続されている。また、印刷装置６は、プリンタ（図示略）の他、スキャナ部６１およびカッター部６２を内蔵している。
【００１６】
ＣＰＵ２は、記憶装置７内に記憶されたワードプロセッサとしての各種プログラムやデータを読み込んでＲＡＭ４内のワークメモリ４ｇに展開し、ワードプロセッサ１の各部を制御して、ワードプロセッサ１としての文書作成処理、文書印刷処理等を実行するとともに、後述する訂正用シール自動作成処理（図７参照）を実行する。
【００１７】
この訂正用シール作成処理は、文書や名刺等の印刷物において、その一部の記載内容を修正するために、訂正対象範囲の上に貼付する訂正用シールを作成する処理である。
【００１８】
訂正用シール作成処理（図７参照）において、ＣＰＵ２は、訂正用シールの作成対象である文書や名刺等に印刷された内容を、印刷装置６のスキャナ部６１によって読みとらせ、読み取り画像をＲＡＭ４の読み取り画面データメモリ４ａに記憶させるともに、読み取り画像を表示するための表示データを表示装置５に出力して表示装置５が有する表示画面上に表示させる。
そして、表示された読み取り画像上における指定入力によって、訂正用シールで訂正すべき訂正対象範囲が複数指定されると、ＣＰＵ２は、各訂正対象範囲に順次、対応する訂正用シールの番号を示すシールナンバーを付し、さらに各訂正対象範囲に印刷されている文字の書式等を文字列書式記憶メモリ４ｅに記憶させる。
【００１９】
そして、ＣＰＵ２は、訂正用シールに印字される訂正文字が入力されると、この訂正文字を訂正文字データメモリ４ｆに記憶させるとともに、また、文字列自動修飾処理によって訂正文字の書式を自動的に決定して、訂正文字データメモリ４ｆに記憶させる。
【００２０】
さらに、ＣＰＵ２は、シール印刷結果自動レイアウト処理（図８参照）を実行して、指定された各訂正対象範囲にそれぞれ対応する複数の訂正用シールをシール台紙上に配置する配置パターンを生成して、シール配置パターン管理メモリ４ｃに記憶させる。そして、各配置パターンに従って、訂正用シールを行桁余白を考慮しながら配置する処理（図９参照）を行って、訂正用シールの右側に生じる余白を埋めるように複数の訂正用シールをシール台紙上に配置する。また、これらの配置の際に訂正用シールの右側に生じる横余白領域、および、訂正用シールが配置された部分の下方に生じる下余白領域の量を余白領域算出処理（図１０参照）によって算出し、シール配置パターン管理メモリ４ｃに記憶させる。
【００２１】
さらに、訂正文字の文字数が訂正対象範囲の文字数とは異なる場合には、文字列書式情報修正処理（図１１参照）を行って各訂正用シールの枠内に訂正文字を配置する。その後、自動シールカッティング処理（図１２参照）を実行して、各訂正用シールを所定のシール台紙に印字するための印刷データを生成して印刷装置６に出力し、印刷装置６のプリンタによって印刷を実行させ、印刷装置６が備えるカッター部６２によって訂正用シールの枠を裁断させる。
【００２２】
入力装置３は、テンキー、文字キー、記号キーおよび各種機能キーを備えたキーボードを備え、これら各キーの内いずれかのキーが押下されると、押下されたキーに対応する押下信号を生成してＣＰＵ２に出力する。なお、この入力装置３は、表示装置５の表示画面と一体となって構成されたタッチパネルやマウス等のポインティングデバイスを備え、これらの操作時には対応する操作信号とともに操作時の表示画面上における座標位置を示す相対位置座標データをＣＰＵ２に出力する。
【００２３】
ＲＡＭ４は、図２に示すように、読み取り画面データメモリ４ａ、訂正シールレイアウトイメージ画面データメモリ４ｂ、シール配置パターン管理メモリ４ｃ、カッティング情報メモリ４ｄ、文字列書式記憶メモリ４ｅ、訂正文字データメモリ４ｆ、ワークメモリ４ｇ等を有している。読み取り画面データメモリ４ａは、印刷装置６のスキャナ部６１により読み取られた図形や文字等の読み取り画像のデータを記憶し、訂正シールレイアウトイメージ画面データメモリ４ｂは、訂正用シール自動作成処理（図７参照）において作成される複数の訂正用シールのレイアウトを示す画面データを記憶する。
【００２４】
また、ＲＡＭ４におけるシール配置パターン管理メモリ４ｃは、図３に示すように、複数の訂正用シールをシール台紙上に配置する配置パターンを複数記憶するとともに、これら各配置パターンに従って訂正用シールをシール台紙上に配置した場合に、訂正用シールの右側に生じる横余白領域、および、訂正用シールが配置された領域の下方に生じる下余白領域の量を記憶する。
【００２５】
カッティング情報メモリ４ｄは、図４に示すように、シール印刷結果自動レイアウト処理（図８参照）において余白領域が最も小さいと判別された配置パターン、この配置パターンに従って訂正用シールが配置されて印字された際に、訂正用シールの枠の裁断を行うための横方向および縦方向のカッティング情報、および、当該配置パターンにおける各訂正用シールのレイアウト位置等を記憶する。
【００２６】
文字列書式記憶メモリ４ｅは、図５に示すように、スキャナ部６１により読み取られた訂正用シールの作成対象である文書や名刺等において、指定された訂正対象範囲を訂正するために作成される訂正用シールの数、各訂正用シールに付されたシールナンバー、各訂正対象範囲に印刷されている文字の書体を示す書体情報、文字のサイズを示す文字サイズ情報、文字間隔を示す桁ピッチ情報、これらの文字の印刷色を示す色情報等の各種情報を記憶する。
【００２７】
訂正文字データメモリ４ｆは、図６に示すように、図７の訂正用シール自動作成処理で作成される各訂正用シールのシールナンバーと、このシールナンバーに対応づけて、各訂正用シールの作成時に印字される訂正文字情報を記憶する。
【００２８】
表示装置５は、ＣＲＴ（Cathode Ray Tube）や液晶表示装置等により構成され、ＣＰＵ２から入力される表示データ（読み取り画像データ、印刷データ等）を表示する。
【００２９】
印刷装置６は、所定のシール台紙に訂正用シールを印字するためのプリンタとともに、訂正用シールの作成対象の文書や名刺等を読み取るためのスキャナ部６１と、印刷されたシール台紙を裁断するためのカッター部６２と、を備えている。そして、印刷装置６は、ＣＰＵ２の制御によって紙送り動作を実行し、訂正用シールの作成対象の文書や名刺等の表面画像をスキャナ部６１により読み取らせ、また、内蔵するプリンタによって所定のシール台紙に訂正用シールの文字を印字する。さらに、印刷装置６は、紙送り動作とともに内蔵するカッター部６２を駆動制御して、プリンタにより印字された訂正用シールの枠を裁断する。
【００３０】
記憶装置７は、プログラムやデータ等が記憶される記憶媒体８を有し、この記憶媒体８は磁気的、光学的記録媒体、若しくは半導体メモリで構成されている。この記憶媒体８は記憶装置７に固定的に設けたもの、若しくは着脱自在に装着するものである。
【００３１】
また、上記の記憶媒体８に記憶されるデータ等は、通信回線等を介して接続された他の機器から受信して記憶する構成にしてもよく、さらに、通信回線等を介して接続された他の機器側に上記記憶媒体を備えた記憶装置を設け、この記憶媒体１６に記憶されているプログラムやデータを通信回線を介して使用する構成としても良い。
【００３２】
続いて、上記のワードプロセッサ１における動作について説明する。
【００３３】
図７は、本発明の実施の形態におけるワードプロセッサ１において実行される訂正用シール自動作成処理を示すフローチャートである。
図７に示す訂正用シール自動作成処理において、ＣＰＵ２は、まず、訂正用シールを作成する対象の文書や名刺等を印刷装置６のスキャナ部６１によって読み取らせ、読み取り画像をＲＡＭ４の読み取り画面データメモリ４ａに記憶させるとともに、表示装置５の表示画面上に表示させる（ステップＳ１０１）。
【００３４】
ここで、表示装置５に表示された読み取り画像上において、入力装置３からの指示入力により、訂正用シールを作成すべき訂正対象範囲が指定されると（ステップＳ１０２）、ＣＰＵ２は、指定された訂正対象範囲の数、すなわち、訂正用シールの数をカウントする（ステップＳ１０３）。例えば、初めて訂正対象範囲が指定されたのであれば訂正用シールの数を「１」と設定し、その後、新たな訂正対象範囲が指定される毎に訂正用シールの数をインクリメント（＋１）する。
そして、指定された訂正対象範囲に表示されている文字、即ち、スキャナ部６１により読み取られた文字の書体、文字サイズ、桁ピッチおよび印刷色を示す情報を文字列書式記憶メモリ４ｅに一時的に記憶させる（ステップＳ１０４）。
【００３５】
ここで、ＣＰＵ２は、訂正用シールを作成すべき全ての訂正対象範囲が指定されたか否かの指示入力を要求し（ステップＳ１０５）、全ての訂正対象範囲の指定が終了していない旨の指示入力があればステップＳ１０２に戻り、終了した旨を示す指示入力があればステップＳ１０６に移行する。
【００３６】
ステップＳ１０６では、指定された訂正対象範囲の数が「０（零）」で無いかどうかを判別して、「０」であった場合にはそのまま処理を終了し、「０」でなければステップＳ１０７に移行する。
ステップＳ１０７で、ＣＰＵ２は、印刷結果自動ナンバリング処理を実行する。この印刷結果自動ナンバリング処理は、複数の訂正用シールを作成する際に、各訂正用シールにシールナンバーを付する処理である。
【００３７】
まず、ステップＳ１０８で、入力装置３からの指示入力により各訂正対象範囲に対応するシールナンバーが入力されると、ＣＰＵ２は、入力されたシールナンバーを各訂正対象範囲に対応づけて文字列書式記憶メモリ４ｅに記憶させる。また、文字列書式記憶メモリ４ｅに一時的に記憶されていた書体や文字サイズを示す各種の情報を、改めてシールナンバーに対応づけて記憶させる（ステップＳ１０９）。なお、ここで記憶されるシールナンバーは、以降、各訂正対象範囲に貼付されるべき訂正用シールのシールナンバーとして、各訂正用シールに対応づけて表示画面上に表示される。
【００３８】
続いて、作成される各訂正用シールに印字される訂正文字が入力装置３から入力されると、ＣＰＵ２は、入力された訂正文字を訂正文字データメモリ４ｆに記憶させて（ステップＳ１１０）、全ての訂正文字が入力されたか否かを判別する（ステップＳ１１１）。ここで、まだ全ての訂正文字の入力が終了していないのであればステップＳ１１０に戻り、全ての訂正文字の入力が終了しているのであればステップＳ１１２に移行する。
【００３９】
ステップＳ１１２では、全ての訂正対象範囲に対するシールナンバーの入力および訂正文字の入力が行われたか否かを判別し、まだ入力が行われていない訂正対象範囲があれば、入力すべき他のナンバーがあることを表示装置５における表示等によって案内し（ステップＳ１１３）、ステップＳ１０８へ戻る。
また、全ての訂正対象範囲に対する入力が終了していれば（ステップＳ１１２；Ｙｅｓ）、ＣＰＵ２は、文字列自動修飾処理を実行する（ステップＳ１１４）。
【００４０】
このステップＳ１１４で実行される文字列自動修飾処理とは、訂正用シールに印字される訂正文字を、訂正用シール作成対象の訂正対象範囲に予め印刷されている書体や文字サイズによく似た設定とすることで、訂正用シール貼付後の違和感を最小限に抑えるための処理で有り、具体的には、訂正文字の書体、文字サイズ、桁ピッチ、印刷色等を、文字列書式記憶メモリ４ｅに記憶された内容に準じて訂正文字データメモリ４ｆに設定する処理である。
【００４１】
続いて、ＣＰＵ２は、後述するシール印刷結果自動レイアウト処理（図８参照）を実行し、シール台紙に複数の訂正用シールを印字する際の各訂正用シールのレイアウトを自動的に決定する（ステップＳ１１５）。
そして、ＣＰＵは、ステップＳ１１５で決定されたレイアウトで訂正用シールを印字した場合のイメージ画面を表示装置５によって表示させ（ステップＳ１１６）、ステップＳ１１７へ移行して、訂正文字の文字数と訂正対象範囲の文字数とを比較判別する。
【００４２】
ここで、訂正文字の文字数が訂正対象範囲の文字数と異なる場合には（ステップＳ１１７；Ｙｅｓ）、ステップＳ１１８で文字列書式情報修正処理（図１１参照）を実行して、ステップＳ１１９に移行する。また、訂正文字の文字数が訂正対象範囲の文字数と等しい場合には（ステップＳ１１７；Ｎｏ）、そのままステップＳ１１９に移行する。
【００４３】
ステップＳ１１９で、ＣＰＵ２は、印刷を実行するか否かの入力を要求し、印刷を行わないのであればそのまま処理を終了し、印刷を行うのであれば、ステップＳ１２０で自動シールカッティング処理（図１２参照）を実行して処理を終了する。
【００４４】
図８は、図７のステップＳ１１５に示すシール印刷結果自動レイアウト処理をより詳細に示すフローチャートである。
まず、ＣＰＵ２は、図７のステップＳ１０４で文字列書式記憶メモリ４ｅに記憶された訂正用シールの数を取得すると（ステップＳ１３１）、取得した訂正用シールの数をもとにして訂正用シールの配置パターンを全て算出してシール配置パターン管理メモリ４ｃに記憶させる（ステップＳ１３２）。例えば、訂正用シールの数が４個であった場合、図３に示すように、シール配置パターン管理メモリ４ｃには「配置パターン１，２，３，４」、「配置パターン１，２，４，３」のように、４個の訂正用シールを配置する各種の配置パターンが記憶される。
【００４５】
ここで、ＣＰＵ２は、シール配置パターン管理メモリ４ｃ内に記憶された各配置パターンについての仮配置を実行する。この仮配置とは、各配置パターンに従って訂正用シールを配置した場合に生じる余白領域の量を算出する処理である。まず、ＣＰＵ２は、シール配置パターン管理メモリ４ｃから所定の配置パターンを取得する（ステップＳ１３４）。そして、取得した配置パターンに基づいて、文字列書式記憶メモリ４ｅに記憶された各訂正用シールの範囲情報を参照し、後述する行桁余白を考慮しながら配置する処理（図９参照）を実行する（ステップＳ１３５）。
【００４６】
続いて、ＣＰＵ２は、ステップＳ１３６で余白領域算出処理（図１０参照）を実行し、算出された下余白領域および横余白領域をシール配置パターン管理メモリ４ｃに記憶させる（ステップＳ１３７）。そして、次の配置パターンをセットして、ステップＳ１３３に戻り、全ての配置パターンの仮配置処理が終了したか否かを判別する。
【００４７】
そして、全ての配置パターンの仮配置処理が終了するまでステップＳ１３４〜ステップＳ１３８の処理を繰り返し、仮配置処理が終了すれば、ステップＳ１３９へ移行する。
【００４８】
ステップＳ１３９では、ステップＳ１３６の余白領域算出処理で算出され、シール配置パターン管理メモリ４ｃにそれぞれ記憶された下余白領域と、横余白領域との、どちらを最小とするかが入力される。つまり、下余白領域を最小にしてシール台紙の下方の余白を最小にするか、或いは、横余白領域を最小にして、訂正用シールの右側に生じる余白領域を最小にするかが指定入力される。
【００４９】
そして、ステップＳ１４０で、シール配置パターン管理メモリ４ｃに記憶された配置パターンの中でステップＳ１３９で指定された余白領域が最も小さい配置パターンが判別され、ステップＳ１４１では、ステップＳ１４０で判別された配置パターンについて、当該配置パターンに従って訂正用シールを配置した場合のレイアウト位置情報がカッティング情報メモリ４ｄに記憶される。そして、続くステップＳ１４２で、ＣＰＵ２は、判別された配置パターンで訂正用シールをシール台紙上に配置するとともに、シール台紙上における訂正用シールのレイアウト状態を表示装置５の表示画面上に表示させて、処理を終了する。
【００５０】
図９は、図８のステップＳ１３５における行桁余白を考慮しながら配置する処理をより詳細に示すフローチャートである。
この処理においては、まず、図８のステップＳ１３４で取得された配置パターンがセットされ（ステップＳ１５１）、続いて、配置行カウンタのカウント値に「１」がセットされる（ステップＳ１５３）。
【００５１】
そして、ＣＰＵ２は、配置行カウンタが示す現在の行に、既に訂正用シールが配置されているか否かの判別を行い（ステップＳ１５３）、シールが配置されていなければステップＳ１５６に移行する。また、ここで既に訂正用シール画は位置されている場合には、ステップＳ１５４に移行して、既に配置されている訂正用シールの右側に、指定された訂正用シールを配置することが可能か否かを判別する。
【００５２】
ステップＳ１５４で、指定されたシールを配置することが不可能であると判別された場合には、配置行カウンタのカウント値をインクリメント（＋１）して（ステップＳ１５５）、ステップＳ１５３に戻る。また、配置可能であると判別されれば、ステップＳ１５６に移行する。
【００５３】
ステップＳ１５６では、シール配置パターン管理メモリ４ｃに現在の配置行カウンタが示す配置行を記憶させて、ステップＳ１５７に移行し、ステップＳ１５１でセットされた配置パターンの最後の訂正用シールまで配置が終了したか否かを判別する。そして、まだ終了していなければ、次の訂正用シールをセットして（ステップＳ１５８）、ステップＳ１５２へ戻る。また、全ての訂正用シールの配置が終了したのであれば、一連の処理を終了する。
【００５４】
図１０は、図８のステップＳ１３６の余白領域算出処理をより詳細に示すフローチャートである。
この余白領域算出処理においては、まず、図８のステップＳ１３４で取得された配置パターンについてステップＳ１３５の行桁余白を考慮しながら配置する処理で求められ、シール配置パターン管理メモリ４ｃに記憶された配置行の最終行が取得される（ステップＳ１６１）。
【００５５】
続いて、予め設定され、或いは自動的に選択されたシール台紙に配置可能な最大行数から、（ステップＳ１６１で取得した配置最終行＋１）を減算し、減算結果にシール台紙における１行の桁数を乗じて、下余白領域の量が算出される（ステップＳ１６２）。即ち、以下の式（１）により表される演算が実行される。
【００５６】
下余白領域＝｛用紙最大行−（配置最終行＋１）｝×用紙桁    （１）
【００５７】
このステップＳ１６２で算出された余白領域は、訂正用シールが印字された際に、シール台紙において訂正用シールの下方に生じる余白である。この余白領域は、シール台紙の未使用部分として、再度利用することが可能である。
【００５８】
続くステップＳ１６３では、まず、行ポインタｎに「１」がセットされる。そして、ステップＳ１６４で、行ポインタｎの値が（配置最終行＋１）に達したか否かが判別され、行ポインタｎが（配置最終行＋１）に達していない場合、つまり、行ポインタｎが示す行に訂正用シールが配置されている場合には、ステップＳ１６５に移行する。
ステップＳ１６５では、行ポインタｎが示す行において、訂正用シールが配置された位置の右側に生じる残りの空白の桁数が横余白領域に加算される。そして、ステップＳ１６６で行ポインタｎがインクリメント（＋１）されて、ステップＳ１６４に戻る。
【００５９】
また、ステップＳ１６４で、行ポインタｎの値が（配置最終行＋１）に達した場合には、ＣＰＵ２はステップＳ１６７に移行して、下余白領域と横余白領域とを確定して（ステップＳ１６７）、処理を終了する。
なお、このステップＳ１６７で確定された下余白領域および横余白領域は、前述のステップＳ１３７（図８）でシール配置パターン管理メモリ４ｃに記憶される。
【００６０】
図１１は、図７のステップＳ１１８に示す文字列書式情報修正処理をより詳細に示す処理である。
この文字列書式情報修正処理に先だって、ステップＳ１１７（図７）で、訂正によって文字数の変更が生じるか否かが判別され、文字数が変化しないのであればそのまま処理を終了し、文字数に変化が生じるのであれば、ステップＳ１７１からの処理が開始される。
【００６１】
ステップＳ１７１では、訂正対象範囲の桁方向のサイズを、訂正後の文字数で除算することによって訂正後の桁ピッチを算出する。その後、ＣＰＵ２は、ステップＳ１７２で算出された訂正後桁ピッチが、予め設定された推奨桁最大ピッチ以下であり、かつ、推奨桁最小ピッチ以上の条件を満たしているか否かを判別する（ステップＳ１７２）。ここで、推奨桁最小ピッチとは、訂正前の桁ピッチに対して所定の推奨桁ピッチ係数を乗算して得られる値である。
【００６２】
このステップＳ１７２で、訂正後桁ピッチが条件を満たしていない場合には、ＣＰＵ２は、訂正前の文字サイズに所定の推奨文字サイズ係数を乗算することによって推奨文字サイズを算出する（ステップＳ１７３）。そして、訂正後桁ピッチが、ステップＳ１７３で算出された推奨文字サイズ以上の値であるか否かを判別する（ステップＳ１７４）。
【００６３】
ここで、訂正後の桁ピッチが推奨文字サイズ以上の値であった場合には、ＣＰＵ２は、訂正用シールのサイズを拡大し、指定された訂正対象範囲の前後の文字を含む大きさの訂正用シールを作成するように文字数の変更を行い、再度、文字サイズおよび訂正後桁ピッチの調整を実行して、訂正後桁ピッチが、推奨桁ピッチの範囲内の条件を満たし、推奨文字サイズよりも小さくなるように調整を行う（ステップＳ１７５）。
【００６４】
そして、ＣＰＵ２は、訂正文字データメモリ４ｆに新たな文字書式を記憶させて（ステップＳ１７６）、処理を終了する。なお、ステップＳ１７２で訂正後桁ピッチが、推奨桁最大ピッチ以下であり、かつ、推奨桁最小ピッチ以上の条件を満たす場合、および、ステップＳ１７４で訂正後桁ピッチが推奨文字サイズよりも小さい場合には、そのままステップＳ１７６の処理を実行する。
【００６５】
図１２は、図７のステップＳ１２０に示す自動シールカッティング処理をより詳細に示すフローチャートである。
この自動シールカッティング処理において、ＣＰＵ２は、カッティング情報メモリ４ｄに記憶された、指定された余白領域（下余白領域または横余白領域）が最小の配置パターンを取得し（ステップＳ１８１）、さらに、カッティング情報メモリ４ｄに記憶された配置パターンの先頭の訂正用シールをセットする（ステップＳ１８２）。
【００６６】
そして、ＣＰＵ２は、ステップＳ１８３以降の処理において、各訂正用シールについてのカッティング情報を生成する。即ち、ステップＳ１８４で、カッティング情報メモリ４ｄにシールナンバー毎に対応づけて記憶された訂正用シールのレイアウト位置をもとに、横方向の切り出し情報を算出して、横方向カッティング情報としてカッティング情報メモリ４ｄに記憶させ、同様に、ステップＳ１８５で、カッティング情報メモリ４ｄにシールナンバー毎に対応づけて記憶された訂正用シールのレイアウト位置をもとに、縦方向の切り出し情報を算出して、縦方向カッティング情報としてカッティング情報メモリ４ｄに記憶させる。
【００６７】
続いて、ＣＰＵ２は、カッティング情報メモリ４ｄの次のシールナンバーの訂正用シールの処理に移行し（ステップＳ１８６）、ステップＳ１８３で全ての訂正用シールについての処理を終了したか否かを判別する。
そして、全ての訂正用シールについての処理が終了したと判別された場合には、カッティング情報メモリ４ｄに記憶された縦方向カッティング情報および横方向カッティング情報に従って、印刷装置６のカッター部６２によってシール台紙を裁断して（ステップＳ１８７）、処理を終了する。
【００６８】
以上のように、図７〜図１２に示す処理がワードプロセッサ１によって実行され、訂正用シールが作成される。続いて、上記の処理において表示装置５の表示画面上に表示される画面の一例を図１３および図１４に示す。
【００６９】
図１３は、図７に示す訂正用シール自動作成処理において表示装置５に表示される画面の一例を示す図であり、（ａ）はスキャナ部６１により読み取られた画像が表示された読み取りデータ表示画面５ａを示す図であり、（ｂ）は訂正対象範囲が指定された訂正対象範囲指定画面５ｂを示す図である。
【００７０】
この図１３（ａ）に示すように、訂正用シール自動作成処理のステップＳ１０１（図７）において、訂正用シールの作成対象の文書や名刺等がスキャナ部６１によって読み取られると、表示装置５の表示画面上には読み取られた画像が読み取りデータ表示画面５ａとして表示される。図１３（ａ）には一例として、スキャナ部６１によって名刺が読み取られた場合の読み取りデータ表示画面５ａを示す。ステップＳ１０２（図７）以降の処理においては、読み取りデータ表示画面５ａに表示された読み取り画像をもとにして、各種処理が行われる。
【００７１】
図１３（ｂ）には、図１３（ａ）に示す読み取りデータ表示画面５ａにおいて、訂正用シールを作成すべき訂正対象範囲が指定された状態を示す訂正対象範囲指定画面５ｂを示す。訂正用シール自動作成処理のステップＳ１０２（図７）で、読み取りデータ表示画面５ａに表示された読み取り画像において、訂正用シールを作成すべき訂正対象範囲が指定されると、指定された訂正対象範囲がそれぞれ破線の枠で囲まれて表示される。さらに、これらの破線枠には、図１３（ｂ）に示すように、ステップＳ１０８（図７）で入力されたシールナンバーが付されており、訂正対象範囲は、図１３（ｂ）中、符号▲１▼〜▲４▼で示すように、破線で囲まれた枠として表示される。
【００７２】
図１４は、訂正用シール自動作成処理（図７）で表示装置５に表示される画面の一例を示す図であり、（ａ）は訂正用シール作成画面表示装置５ｃを示す図であり、（ｂ）はシール印刷イメージ画面５ｄを示す図である。
【００７３】
図１３（ｂ）に示す訂正対象範囲指定画面に破線枠で表示された訂正対象範囲に対し、ステップＳ１０８（図７）でシールナンバーが入力されると、表示装置５には、図１４（ａ）に▲１▼，▲２▼，▲３▼，▲４▼で示すように、各訂正用シールにそれぞれシールナンバーが付された訂正用シール作成画面５ｃが表示される。
この訂正用シール作成画面５ｃが表示された状態で、各訂正用シールに印字すべき訂正文字が入力されると（ステップＳ１１０；図７）、訂正用シール作成画面５ｃに表示された枠内に印字される訂正文字が訂正文字データメモリ４ｆに記憶され、その後、文字列自動修飾処理（ステップＳ１１４；図７）等の各処理が行われる。
【００７４】
そして、図１４（ａ）に示す訂正用シール作成画面にシールナンバーとともに表示された各訂正用シールについて、シール印刷結果自動レイアウト処理（ステップＳ１１５；図７）が実行されると、ステップＳ１１６（図７）において、図１４（ｂ）に示すようなシール印刷イメージ画面５ｄが表示される。
【００７５】
この図１４（ｂ）に示すシール印刷イメージ画面５ｄには、シール印刷結果自動レイアウト処理によって余白領域量が最小になるように各訂正用シールがレイアウトされた状態が表示され、このシール印刷イメージ画面５ｄに表示されたレイアウトで、各訂正用シールがシール台紙に印字され、訂正用シールが作成される。
【００７６】
図１５は、利用者によって指定された訂正対象範囲と、当該訂正対象範囲に対して作成される訂正用シールとの様子を示す図であり、（ａ）は訂正対象範囲に比べて訂正文字の文字数が多い場合を示し、（ｂ）は訂正文字の文字数が少ない場合を示し、（ｃ）は訂正文字の文字数が多く、訂正用シールのサイズが拡大された場合を示し、（ｄ）は訂正文字が少なく、訂正用シールのサイズが拡大された場合を示す図である。
【００７７】
図１５（ａ）に示すように、訂正対象範囲１０ａに印刷されていた文字数よりも多くの文字を訂正文字として訂正用シール１１ａに印字する場合には、文字サイズおよび桁ピッチが変更されて、指定された訂正対象範囲１０ａを覆うサイズの訂正用シール１１ａが作成される。
【００７８】
また、図１５（ｂ）に示すように、訂正対象範囲１０ｂに印刷されていた文字数よりも少ない文字を訂正文字として訂正用シール１１ｂに印字する場合には、桁ピッチおよび文字サイズが変更されて、指定された訂正対象範囲１０ｂを覆う訂正用シール１１ｂの枠内に、所定の訂正文字が印字される。
【００７９】
そして、訂正対象範囲１０ｃに対する訂正文字として、非常に多くの文字が入力された場合には、文字列書式情報修正処理（図１１）において、訂正対象範囲１０ｃの前後の文字を含む範囲を覆う訂正用シール１１ｃを作成するための処理を実行する。即ち、もともと１２文字が印刷されていた訂正対象範囲１０ｃを訂正するための訂正用シールとして、１７文字の訂正文字が印字された訂正用シールを作成するためには、文字数の増加が著しく、文字サイズが極端に小さくなる等の不都合が生じる。このため、訂正対象範囲１０ｃの前に位置する「本社  〒１１０」の文字を含む範囲を訂正対象範囲として新たに設定し、この訂正対象範囲を多う訂正用シール１１ｃを作成することにすれば、空白を含めて２０文字が印刷されていた訂正対象範囲に対応するように、２７文字の訂正文字が印字された訂正用シール１１ｃを作成することになり、文字数の変化の度合いは軽減され、問題なく訂正用シール１１ｃを作成することができる。
【００８０】
同様に、訂正文字が少なく、訂正対象範囲にもともと印刷されていた文字数に比較して文字数が著しく減少する場合には、図１５（ｄ）に示すように、指定された訂正対象範囲１０ｄの前に位置する文字を含む範囲を訂正対象範囲として新たに設定することにより、文字数の変化の度合いが軽減された訂正用シール１１ｄを作成することができる。
【００８１】
以上のように、本発明の実施の形態におけるワードプロセッサ１によれば、訂正対象の文書や名刺等をスキャナ部６１によって読み取り、読み取った画像における訂正対象範囲が指定されると、指定された訂正対象範囲に対応する訂正用シールを作成する処理を実行し、さらに、各訂正用シールをシール台紙に印字する際のレイアウトを、最も余白領域量の小さいレイアウトに決定し、このレイアウトに従って訂正用シールを印字するために訂正文字の書式、文字サイズ、桁ピッチを調整し、印刷装置６が備えるプリンタによってシール台紙に印字し、カッター部６２によって訂正用シールの枠を裁断することにより、訂正用シールを作成する。
【００８２】
従って、文書や名刺等の一部を訂正するための訂正用シールを容易に作成することができる。また、余白領域量が最も小さくなるように各訂正用シールをシール台紙上に配置するので、効率よくシール台紙を活用することができる。
【００８３】
さらに、訂正対象範囲にもともと印刷されていた文字の書体や文字サイズ、印刷色等を文字列書式記憶メモリ４ｅに記憶し、この文字列書式記憶メモリ４ｅに記憶された内容に従って文字列自動修飾処理を行うので、訂正の対象となる文書や名刺等に貼付しても違和感の少ない訂正用シールを作成することができる。
【００８４】
また、訂正用シールに印字される訂正文字の文字数が、予め訂正対象範囲に印刷されていた文字の文字数に比較して減少または増大する場合にも、文字列書式情報修正処理を実行して、文字サイズおよび桁ピッチの調整を行い、訂正用シール内の文字が著しく小さくなる等の不都合が生じる場合には、訂正対象範囲の前後に位置する文字を含めた訂正用シールを作成するので、訂正用シールによって訂正する内容に関わらず、最適な訂正用シールを自動的に作成することができる。
【００８５】
なお、上記実施の形態におけるワードプロセッサ１において、ステップＳ１２０（図７）に示す自動シールカッティング処理にかかる時間を算出するタイマを備え、カッター部６２によるカッティング処理が開始されると同時に、このカッティング処理に要する時間を算出して表示装置５に表示させる構成としても良い。この場合、カッター部６２によるカッティングが開始された時点で、利用者は終了時間に合わせて待機したり、あるいは他の処理を行うことができ、利便性を高めることができる。
【００８６】
また、ワードプロセッサ１において、シール印刷結果自動レイアウト処理（図８）において、最も余白領域量が小さくなるように各訂正用シールをシール台紙上に配置する構成としたが、本発明はこれに限定されるものではなく、例えば、各訂正用シールに付されたシールナンバーの順に従って訂正用シールをレイアウトする処理であっても良い。
【００８７】
［変形例１］
ここで、本発明の実施の形態におけるワードプロセッサ１の第１の変形例として、各訂正用シールに付されたシールナンバーの順に従って訂正用シールをレイアウトするシール印刷結果レイアウト処理について説明する。なお、この第１の変形例において、ワードプロセッサ１の各部の構成は上記実施の形態におけるワードプロセッサ１と同様の構成によってなるものとする。
【００８８】
図１６は、本発明の実施の形態における第１の変形例としてのシール印刷結果自動レイアウト処理を示すフローチャートである。この図１６に示すシール印刷結果自動レイアウト処理において、ＣＰＵ２は、カウンタｎを設定し、そのカウント値に１を設定する（ステップＳ２０１）。
【００８９】
続いて、シールナンバーｎのシールを、シール台紙の左上隅に配置して（ステップＳ２０２）、カウンタｎのカウント値をインクリメント（＋１）する（ステップＳ２０３）。
【００９０】
ここで、ＣＰＵ２は、カウンタｎのカウント値が訂正用シールの総数を超えたか否かを判別し（ステップＳ２０４）、ｎの値が訂正用シールの総数を超えていない場合には、シールナンバーｎの訂正用シールを、前回配置したシールの右桁に配置して（ステップＳ２０５）、訂正用シールがシール台紙からはみ出したか否かを判別する（ステップＳ２０６）。
【００９１】
そして、訂正用シールがシール台紙からはみ出さないのであればステップＳ２０３に戻り、シール台紙からはみ出してしまった場合には、はみ出した訂正用シールをクリアして（ステップＳ２０７）、シールナンバーｎの訂正用シールを、前回配置した訂正用シールの１行下の左端に配置して（ステップＳ２０８）、ステップＳ２０３に戻る。
【００９２】
なお、ステップＳ２０４で、カウンタｎのカウント値が訂正用シールの総数を超えた場合には、処理を終了する。
【００９３】
図１７は、図１６に示すシール印刷結果レイアウト処理により配置された訂正用シールのレイアウトを示すシール印刷イメージ画面５ｅを示す図である。このシール印刷イメージ画面５ｅに示すように、図１６に示すシール印刷結果レイアウト処理によれば、各訂正用シールはシールナンバーの順に従ってシール台紙上に配置される。
【００９４】
このため、各訂正用シールが、利用者によって入力されたシールナンバーの順に従って配置されて印字されるので、訂正用シールを貼付する作業を行う際にミスが発生しにくく、より作業しやすい状態で訂正用シールを作成することができる。
【００９５】
［変形例２］
また、上記実施の形態におけるワードプロセッサ１のシール印刷結果自動レイアウト処理において、例えば、各訂正用シールを小さい順にシール台紙に配置する構成としても良い。
図１８は、本発明の実施の形態における第２の変形例としてのシール印刷結果自動レイアウト処理について示すフローチャートである。
【００９６】
図１８に示すシール印刷結果自動レイアウト処理において、ＣＰＵ２は、まず、カウンタｎを設定し、このカウンタｎのカウント値に「１」をセットする（ステップＳ２１１）。
そして、文字列書式記憶メモリ４ｅに記憶された各訂正用シールのシール範囲情報を参照して、各訂正用シールの中で最も小さい訂正用シールを判別し（ステップＳ２１２）、この最小の訂正用シールをシール台紙の左上端に配置する（ステップＳ２１３）。
【００９７】
続いて、ＣＰＵ２は、カウンタｎのカウント値をインクリメント（＋１）し（ステップＳ２１４）、カウンタｎの値が訂正用シールの総数を超えたか否かを判別する（ステップＳ２１５）。カウンタｎの値が訂正用シールの総数を超えていなかった場合には、ＣＰＵ２は、ｎ番目に小さい訂正用シールを前回配置した訂正用シールの右桁に配置する（ステップＳ２１６）。
【００９８】
ここで、ＣＰＵ２は、配置された訂正用シールがシール台紙からはみ出していないかどうかを判別し（ステップＳ２１７）、はみ出していなければステップＳ２１４に戻り、はみ出していた場合には、はみ出した訂正用シールをクリアして（ステップＳ２１８）、ｎ番目に小さい訂正用シールを前回配置した訂正用シールの１行下の左端に配置し（ステップＳ２１９）、ステップＳ２１４に戻る。
【００９９】
なお、ステップＳ２１５で、カウンタｎの値が訂正用シールの総数を超えた場合には、処理を終了する。
【０１００】
この図１８に示すシール印刷結果自動レイアウト処理によって訂正用シールが配置された際のシール印刷イメージ画面５ｆを図１９に示す。
図１９のシール印刷イメージ画面５ｆに示すように、各訂正用シールが、小さい順にシール台紙上に配置されている。
【０１０１】
これによって、小さい訂正対象範囲に対応する訂正用シールから順に配置されて訂正用シールが印字されるので、訂正用シールを貼付する作業の作業性をより一層向上させることができる。
【０１０２】
なお、上記第１の変形例および第２の変形例のほか、例えば、図２０に示すように、類似する訂正用シールを集めてシール台紙上に配置する構成としても良い。図２０は、各訂正用シールの中で、内容や大きさなどが類似する訂正用シールや、予め所定のグループとして設定された訂正用シールを集めてシール台紙上に配置したシール印刷イメージ画面５ｇを示す図である。この図２０に示すように訂正用シールを配置することによって、特に多くの訂正用シールを貼付する作業をより容易に行うことができ、作業性のより一層の向上を図ることができる。
【０１０３】
また、上記ワードプロセッサ１におけるシール印刷結果自動レイアウト処理で、大きい訂正用シールから順に配置する等の構成としても良く、各訂正用シールをシール台紙上に配置する処理としては、利用者の使い勝手に応じて配置の仕方を適宜変更することが可能である。
【０１０４】
さらに、上記のワードプロセッサ１において、全く文字が印字されていない空白の訂正用シールを作成することも、勿論可能である。この場合、作成される訂正用シールは手書きで印刷物の文字列を訂正する用途に用いることができ、或いは、一部の文字列を削除する際にも利用可能である。
【０１０９】
請求項１記載の発明の領域裁断処理装置、および、請求項４記載の記憶媒体によれば、記憶された文字列において一部の文字列が指定され、この文字列と置換される文字列が入力されると、入力された文字列を、所定の用紙に設定された印字枠内に印字して裁断する。従って、例えば、印刷物に貼付して印刷物の一部の文字を訂正する訂正用シールを、容易に作成することができる。
また、文字列を記憶させる際に、印刷物の一部に貼付するなどして利用するシール等を作成する場合にも、印刷物を読み取らせて、読み取らせた文字列に従って処理を行うことができるので、印刷物における文字列を入力したり、印刷された文字列の文字サイズ、文字間隔を含む設定が同一となるように設定を手作業で設定する等の手間を省くことができる。
さらに、文字列指定手段により指定された文字列の文字サイズ、文字間隔を含む設定をもとに、入力された文字列を印字するので、指定された文字列と書体や文字サイズが共通で、違和感のない文字を自動的に印字させることができる。
【０１１２】
請求項２記載の発明によれば、入力された文字列が印字枠内に印字できない場合に、例えば、文字サイズを縮小したり、文字間のピッチを縮小する等、印字枠内に印字できるように文字列の属性を変更して印字するので、印字枠内におけるレイアウトを利用者が判断して設定する等の手間を省くことができ、より一層の効率化を図ることができる。
【図面の簡単な説明】
【図１】本発明の実施の形態におけるワードプロセッサ１内部の概略構成を示すブロック図である。
【図２】図１のＲＡＭ４の構成を模式的に示す図である。
【図３】図２のシール配置パターン管理メモリ４ｃの構成を詳細に示す図である。
【図４】図２のカッティング情報メモリ４ｄの構成を詳細に示す図である。
【図５】図２の文字列書式記憶メモリ４ｅの構成を詳細に示す図である。
【図６】図２の訂正文字データメモリ４ｆの構成を詳細に示す図である。
【図７】図１のＣＰＵ２によって実行される訂正用シール自動作成処理を示すフローチャートである。
【図８】図７のステップＳ１１５に示すシール印刷結果自動レイアウト処理をより詳細に示すフローチャートである。
【図９】図８のステップＳ１３５に示す行桁余白を考慮しながら配置する処理をより詳細に示すフローチャートである。
【図１０】図８のステップＳ１３６に示す余白領域算出処理をより詳細に示すフローチャートである。
【図１１】図７のステップＳ１１８に示す文字列書式情報修正処理をより詳細に示すフローチャートである。
【図１２】図７のステップＳ１２０に示す自動シールカッティング処理をより詳細に示すフローチャートである。
【図１３】図７に示す訂正用シール自動作成処理において表示される画面の一例を示す図であり、（ａ）はスキャナ部６１により読み取られた画像が表示された読み取りデータ表示画面５ａを示す図であり、（ｂ）は訂正対象範囲が指定された訂正対象範囲指定画面５ｂを示す図である。
【図１４】図７に示す訂正用シール自動作成処理で表示装置５に表示される画面の一例を示す図であり、（ａ）は訂正用シール作成画面表示装置５ｃを示す図であり、（ｂ）はシール印刷イメージ画面５ｄを示す図である。
【図１５】図７に示す訂正用シール自動作成処理において、利用者によって指定された訂正対象範囲と、当該訂正対象範囲に対して作成される訂正用シールとの様子を示す図であり、（ａ）は訂正対象範囲に比べて訂正文字の文字数が多い場合を示し、（ｂ）は訂正文字の文字数が少ない場合を示し、（ｃ）は訂正文字の文字数が多く、訂正用シールのサイズが拡大された場合を示し、（ｄ）は訂正文字が少なく、訂正用シールのサイズが拡大された場合を示す図である。
【図１６】本発明の実施の形態における第１の変形例としてのシール印刷結果自動レイアウト処理を示すフローチャートである。
【図１７】図１６に示すシール印刷結果レイアウト処理において表示装置５に表示されるシール印刷イメージ画面５ｅを示す図である。
【図１８】本発明の実施の形態における第２の変形例としてのシール印刷結果自動レイアウト処理を示すフローチャートである。
【図１９】図１８に示すシール印刷結果自動レイアウト処理において表示装置５に表示されるシール印刷イメージ画面５ｆを示す図である。
【図２０】本発明の実施の形態におけるその他の変形例としてのシール印刷結果自動レイアウト処理において表示装置５に表示されるシール印刷イメージ画面５ｇを示す図である。
【符号の説明】
１  ワードプロセッサ
２  ＣＰＵ
３  入力装置
４  ＲＡＭ
５  表示装置
５ａ  読み取りデータ表示画面
５ｂ  訂正対象範囲指定画面
５ｃ  訂正用シール作成画面
５ｄ  シール印刷イメージ画面
５ｅ，５ｆ，５ｇ
シール印刷イメージ画面
６  印刷装置
６１  スキャナ部
６２  カッター部
７  記憶装置
８  記憶媒体
９  バス
【図１】
0003978922.tif 000002
【図２】
0003978922.tif 000003
【図３】
0003978922.tif 000004
【図４】
0003978922.tif 000005
【図５】
0003978922.tif 000006
【図６】
0003978922.tif 000007
【図７】
0003978922.tif 000008
【図８】
0003978922.tif 000009
【図９】
0003978922.tif 000010
【図１０】
0003978922.tif 000011
【図１１】
0003978922.tif 000012
【図１２】
0003978922.tif 000013
【図１３】
0003978922.tif 000014
【図１４】
0003978922.tif 000015
【図１５】
0003978922.tif 000016
【図１６】
0003978922.tif 000017
【図１７】
0003978922.tif 000018
【図１８】
0003978922.tif 000019
【図１９】
0003978922.tif 000020
【図２０】
0003978922.tif 000021